(57)【特許請求の範囲】
【請求項１】
容器と、該容器口部に被蓋されたノズルキャップとを具えた液注出容器であって、
ノズルキャップは、キャップ基体と、可撓性の押圧筒とノズル筒とからなり、押圧筒内に規制部材を配設しており、
規制部材は、容器口部内周に嵌合する側周壁と液流のための開孔を穿設した上板と、上板の中央部に立設された規制板とからなり、キャップ基体により、容器口部にノズルキャップと位置合わせして嵌着されていることを特徴とする液注出容器。
【請求項２】
容器と、該容器口部に被蓋されたノズルキャップとを具えた液注出容器であって、
ノズルキャップは、キャップ基体と、可撓性の押圧筒とノズル筒とからなり、押圧筒内に規制部材を配設しており、
規制部材は、押圧筒の内周上端の所定位置に設けられた挟持部に嵌合支持される規制板であることを特徴とする液注出容器。
【請求項３】
規制部材が、長さの異なる二つの板体を十字状にした規制板であることを特徴とする請求項１または２記載の液注出容器。
【請求項４】
容器と、該容器口部に被蓋されたノズルキャップとを具えた液注出容器であって、
ノズルキャップは、キャップ基体と、可撓性の押圧筒とノズル筒とからなり、押圧筒内に規制部材を配設しており、
規制部材が、押圧筒内周の対称位置に突設された突条であることを特徴とする液注出容器。
【請求項５】
規制部材が、押圧筒内周の対称位置に突設された突条と、該突条に対して直角方向に配設され高さを異にする突条であることを特徴とする請求項４記載の液注出容器。
【請求項６】
規制部材の配設方向に対応して、押圧筒の外周面に押圧注出量の多、少を示す表示が付されていることを特徴とする請求項１〜５のいずれかの項に記載の液注出容器。
【発明の詳細な説明】
【０００１】
【発明の属する技術分野】
本発明は、液注出容器、とくに注出量を調整可能とした液注出容器に関する。
【０００２】
【従来の技術】
容器にノズルキャップを取着し、容器の胴部、またはノズルキャップのノズル胴部を押圧して、所要量の内容液を押出するようにした注出容器は、従来より知られている。
【０００３】
【発明が解決しようとする課題】
しかしながら、容器胴部を押出するようにした注出容器は、注出量は押圧強さに依存するので、手加減だけで一定量の内容液を注出するのは困難であった。
ノズルキャップのノズル胴部を押圧するようにした注出容器は、少量の内容液を注出するのには適するが、注出量は同じく手加減によるので、所要量だけ注出するのは容易でなかった。
【０００４】
本発明は、上記問題点を解決することを課題とし、ノズルキャップの押圧筒の押圧量を規制することによって、一定量の内容液を注出できるようにした注出容器を提供することを目的とする。
【０００５】
【課題を解決するための手段】
本発明は、上記の課題を解決するため、液注出容器として、容器と、該容器口部に被蓋されたノズルキャップとを具えた液注出容器であって、ノズルキャップは、キャップ基体と、可撓性の押圧筒とノズル筒とからなり、押圧筒内に規制部材を配設しており、規制部材は、容器口部内周に嵌合する側周壁と液流のための開孔を穿設した上板と、上板の中央部に立設された規制板とからなり、キャップ基体により、容器口部にノズルキャップと位置合わせして嵌着されていることを特徴とする構成を採用する。
【０００６】
液注出容器の別実施例として、容器と、該容器口部に被蓋されたノズルキャップとを具えた液注出容器であって、ノズルキャップは、キャップ基体と、可撓性の押圧筒とノズル筒とからなり、押圧筒内に規制部材を配設しており、規制部材は、押圧筒の内周上端の所定位置に設けられた挟持部に嵌合支持される規制板であることを特徴とする構成を採用し、規制部材の実施例として、規制部材が、長さの異なる二つの板体を十字状にした規制板であることを特徴とする構成を採用する。
【０００７】
液注出容器の他の実施例として、容器と、該容器口部に被蓋されたノズルキャップとを具えた液注出容器であって、ノズルキャップは、キャップ基体と、可撓性の押圧筒とノズル筒とからなり、押圧筒内に規制部材を配設しており、規制部材が、押圧筒内周の対称位置に突設された突条であることを特徴とする構成を採用する。
【０００８】
規制部材の他の実施例として、規制部材が、押圧筒内周の対称位置に突設された突条と、該突条に対して直角方向に配設され高さを異にする突条であることを特徴とする構成、或いは、規制部材の配設方向に対応して、押圧筒の外周面に押圧注出量の多、少を示す表示が付されていることを特徴とする構成を採用する。
【０００９】
【発明の実施の形態】
次に、本発明の第１実施形態について、図面を参照して説明する。
図１において、Ａは容器、Ｂはノズルキャップ、Ｃは規制部材、Ｄは上キャップである。
いずれも合成樹脂をもって成形され、とくにノズルキャップＢには、軟質の合成樹脂が用いられている。
容器Ａの内容物として、薬液、化粧料などが収容される。
【００１０】
容器Ａは、口部１と胴部２、底部３とからなり、口部１には、ねじ４が螺設されている。
【００１１】
図２に示すように、ノズルキャップＢは、キャップ基体５と注出ノズル６とからなっている。
キャップ基体５は、側周壁７と上壁８とからなり、側周壁７の内周には、口部１のねじに螺合するねじ９が螺設されており、その上端部には、規制部材Ｃを保持する縮径周面１０が形成されている。
縮径周面１０には、内方に突出する二つの突部１１ａ，ｂが対称位置に設けられ、規制部材Ｃの位置決め部材となっている。
【００１２】
注出ノズル６は、押圧筒１２とノズル筒１３とからなり、押圧筒１２は前記上壁８の内周縁から上方に延びるように立設されている。
押圧筒１２は、断面円形で可撓性を有しており、外周面の中間部には、図３に示すように、筒壁の押圧にあたって、注出量の「多」「少」を表す表示１４、１５が付されている。
【００１３】
「少」の表示１５は、二つの突部１１を結ぶ中心線に対応する上方位置に、「多」の表示１４は、突部１１を結ぶ中心線に直交する中心線に対応する上方位置に、印刷または刻印により表示されている。
本実施形態では、大、小の矢印とＬ、Ｓの組合せによって、注出量の「多」「少」を示すようにしているが、その他の文字、記号、色彩等適宜に決定することができる。
【００１４】
ノズル筒１３は、押圧筒１２の上壁１６の内周縁に沿って立設されており、ノズル筒１３には、ノズル孔１７が穿孔され、その外周には、ねじ１８が螺設されている。
【００１５】
図４に示すように、規制部材Ｃは、容器口部１内周に嵌合する側周壁２０と上板２１、該上板２１の中央に立設された短形状の規制板２２とからなり、上板２１の中央部には、規制板２２に接して内容液が流通する二つの開孔２３が穿設されている。
上板２１の周縁は、側周壁２０の周縁から外方に広がるフランジ２４となっており、その外周は、側周壁７の縮径周面１０に嵌合し、規制板２２の長手方向に対応する位置に凹部２５ａ，ｂが設けられている。
【００１６】
図５に示すように、上キャップＤは、頂壁２６と側周壁２７とからなり、頂壁２６には、ノズル筒１３のノズル孔１７を封鎖する栓体２８が垂設されており、側周壁２７には、ノズル筒１３外周のねじ１８に螺合するねじ２９が螺設されている。
【００１７】
容器の組立にあたっては、まず、規制部材ＣをノズルキャップＢ内に嵌挿し、次いで、ノズルキャップＢを、内容液を充填した容器Ａに被蓋する。
最後に、上キャップＤを被蓋することによって液注出容器が完成する。
【００１８】
規制部材Ｃの嵌挿に際しては、規制部材Ｃの上板２１のフランジ２４を凹部２５と縮径周面１０の突部１１に位置合わせして押し込み嵌着させる。
位置合わせによって、規制板２２の前後の表面２２ａには「多」の表示１４が対応し、規制板２２の側端面２２ｂには「少」の表示１５が対応して位置するようになっている。
ノズルキャップＢの被蓋にあたっては、ノズルキャップＢと規制部材Ｃは、位置合わせした状態で容器Ａに締着される。
【００１９】
次に、本実施形態液注出容器の使用態様と作用効果について説明する。
使用にあたって、上キャップＤを開蓋し、ノズル筒１３を下にして所要の塗布個所に向け、押圧筒１２の胴壁面の中央部を押圧すると、内容液が注出される。
その際、「多」の表示１４面を押圧すると、胴壁が規制板２２の表面２２ａに接するまで移動させることができ、多量の定量の内容液を注出することができ、「少」の表示１５面を押圧すると、胴壁は規制板２２の側部に接圧し、変形量が小さくされ、少量の定量の内容液を注出することができる。
【００２０】
また、「多」の表示１４面を押圧する時は、押圧量を手指で調節することによって、定量の注出量より少なくすることもできる。
【００２１】
注出量は、規制板２２の巾を変えることによって自由に設定することができ、また、図６に示すように、規制板２２を長短の長さの異なる十字形としてもよい。
【００２２】
次に、第２実施形態について、図面を参照して説明する。
本実施形態は、前記第１実施形態において、規制部材の形状とノズルキャップへの取り付け方を変更したものである。
以下同一の構成部分には添字ａを付して図示して、詳しい説明は省略し、相違点を中心に説明する。
【００２３】
図７において、Ａａは容器、Ｂａはノズルキャップ、Ｃａは規制部材、Ｄａは上キャップである。
ノズルキャップＢａは、キャップ基体５ａと注出ノズル６ａとからなっている。
キャップ基体５ａは、側周壁７ａと上壁８ａとを具え、側周壁７ａ内周には、容器口部１ａ外周のねじ４ａに螺合するねじ９ａが螺設されており、上壁８ａの内周縁から容器口部１ａの内周に一定の締め代をもって嵌合する係合リング３０が垂設されている。
【００２４】
注出ノズル６ａは、押圧筒１２ａとノズル筒１３ａとからなり、押圧筒１２ａは、上記上壁８ａの内周縁に係合リング３０から上方に延びるよう立設されている。
押圧筒１２ａは、断面円形で、可撓性を有しており、内周上端部には、対称的に位置する一対の挟持部３１ａ，ｂが配設されている。
挟持部３１ａ，ｂには、規制部材Ｃａを保持する溝３２が形成されている。
【００２５】
押圧筒１２ａ外周面の中間部には、前実施形態と同様に筒壁の押圧にあたって、注出量の「多」「少」を表す表示１４ａ，１５ａが付されている。
「少」の表示１５ａは、対向する溝３２の中心を結ぶ中心線に対応する下方位置に、「多」の表示１４ａは、溝３２を結ぶ中心線に直交する中心線に対応する下方位置に、印刷または刻印により表示されている。
【００２６】
上記挟持部３１は、内面の全周に渡って形成されてもよく、また溝３２を挟むように形成された一対の挟持板であってもよい。
【００２７】
規制部材Ｃａは、上記挟持部３１の溝３２に締め代をもって嵌合する断面短形状の嵌合部３３と、台形の表面３４と側端縁３５を有する規制板３６とからなっている。
規制板３６のノズルキャップＢａへの取付にあたっては、嵌合部３３を押圧筒１２ａの挟持部３１に形成した溝３２内に嵌着することによって規制板３６がノズルキャップＢａに取り付けられる。
【００２８】
次に、本実施形態液注出容器の作用効果について説明する。
内容液の注出にあたって、ノズル筒１３ａを下にして所要個所に向け、押圧筒１２ａの胴壁面の中央部を押圧すると、内容液が注出される。
その際、前記実施形態と同様に、「多」の表示１４ａ面を押圧すると、胴壁が規制板３６の表面３４に接するまで移動し、所定の多量の内容液を注出することができ、「少」の表示１５ａ面を押圧すると、胴壁は規制板３６の側部に接圧し、変形量が小さく、所定の少量の内容液を注出することができる。
【００２９】
本実施形態においても、前第１実施形態と同様に、規制板３６の巾と厚さを変えることによって、設定注出量を変えることができ、また十字形の規制板とすることもできる。
【００３０】
次に、第３実施形態について、図面を参照して説明する。
本実施形態は、規制部材をノズルキャップの押圧筒に配設したものである。
以下第１実施形態と同一の構成部分には添字ｂを付して図示して詳しい説明を省略し、相違点を中心に説明する。
図８において、Ａｂは容器、Ｂｂはノズルキャップ、Ｃｂは規制部材、Ｄｂは上キャップである。
【００３１】
ノズルキャップＢｂの注出ノズル６ｂは、押圧筒１２ｂとノズル筒１３ｂとからなり、押圧筒１２ｂは、キャップ基体５ｂの上壁８ｂの内周縁から上方に延びるよう立設されている。
【００３２】
押圧筒１２ｂの内周には、上下に延びる突条４０が突設されており、押圧筒１２ｂ外周面の中間部には、注出量の「多」「少」を表す表示１４ｂ，１５ｂが付されている。
「少」の表示１５ｂは、突条４０に対応する位置に、「多」の表示１４ｂは、突条４０の中心を結ぶ線に直交する中心線に対応する位置に、印刷または刻印により表示されている。
【００３３】
次に、本実施形態液注出容器の使用態様と作用効果について説明する。
内容液の注出にあたって、上キャップＤｂを開蓋し、ノズル筒１３ｂを下にし所要個所に向け、押圧筒１２ｂの中央部胴壁面を押圧すると、内容液が注出される。
その際、「多」の表示１４ｂ面を押圧すると、胴壁内周が対向する胴壁内周に接するまで移動し、所定の多量の内容液を注出することができ、「少」の表示１５ｂ面を押圧すると、突条４０が中央部で衝接し、変形量が小さく、所定の少量の内容液を注出することができる。
【００３４】
前記第３実施形態では、対称的に突条を設けるようにしているが、直角方向に高さの異なる突条を配置することもできる。
また、突条の高さを変えることによって、設定注出量を変えることができる。
【００３５】
【発明の効果】
本発明は、上記のように構成されているから、次の効果を奏する。
ノズルキャップの押圧筒内に押圧量を規制する規制部材を配設したことによって、「多」「少」の注出量を規制し、少量の内容液を定量注出できるようになった。
【図面の簡単な説明】
【図１】第１実施形態の液注出容器の一部断面正面図である。
【図２】ノズルキャップの説明図で、（ａ）は一部断面正面図、（ｂ）は底面図である。
【図３】ノズルキャップの斜視図である。
【図４】規制部材の説明図で、（ａ）は一部断面正面図、（ｂ）は底面図である。
【図５】  上キャップの断面図である。
【図６】  規制板の変形実施例の説明図である。
【図７】  第２実施形態の説明図で、（ａ）は一部断面正面図、（ｂ）は図（ａ）のＡ−Ａ線における断面図、（ｃ）は図（ａ）のＢ−Ｂにおける断面図である。
【図８】  第３実施形態の説明図で、（ａ）は一部断面正面図、（ｂ）は図（ａ）のＡ−Ａ線における断面図である。
【符号の説明】
Ａ、Ａａ、Ａｂ      容器
Ｂ、Ｂａ、Ｂｂ      ノズルキャップ
Ｃ、Ｃａ、Ｃｂ      規制部材
Ｄ、Ｄａ、Ｄｂ      上キャップ
１、１ａ            口部
５、５ａ、５ｂ      キャップ基体
６、６ａ、６ｂ      注出ノズル
７、７ａ            側周壁
１０                縮径周面
１１ａ，ｂ          突部
１２、１２ａ、１２ｂ  押圧筒
１３、１３ａ、１３ｂ  ノズル筒
１４、１４ａ、１４ｂ  表示
１５、１５ａ、１５ｂ  表示
１７                  ノズル孔
２０                  側周壁
２１                  上板
２２、３６            規制板
２３                  開孔
２４                  フランジ
２５ａ，ｂ            凹部
３０                  係合リング
３１ａ，ｂ            挟持部
３２                  溝
３３                  嵌合部
３４                  表面
３５                  側端縁
４０                  突条
【図１】
0004024459.tif 000002
【図２】
0004024459.tif 000003
【図３】
0004024459.tif 000004
【図４】
0004024459.tif 000005
【図５】
0004024459.tif 000006
【図６】
0004024459.tif 000007
【図７】
0004024459.tif 000008
【図８】
0004024459.tif 000009